(57)【特許請求の範囲】
【請求項１】
電極組立体及び電解液を収容したケースと、
前記ケースを構成する壁部を貫通する注液孔と、
前記注液孔を封止する封止部材と、
前記壁部における前記注液孔の周囲に配置された少なくとも一対のリブと、を有し、
前記壁部の面に沿って延び、かつ互いに直交する二つの方向のうち一方の第１の方向を、前記壁部において平行な一対の縁部を最短距離で結ぶ直線に沿う方向と設定するとともに、他方の第２の方向を、前記壁部において前記一対の縁部と直交し、かつ平行な別の一対の縁部を最短距離で結ぶ直線に沿う方向と設定し、
前記第１の方向に沿う直線上に位置する一対の縁部のうちの一方の縁部を第１縁部、他方の縁部を第２縁部とすると、前記注液孔は、前記第１の方向において第２縁部よりも第１縁部に近い位置に配置され、
少なくとも一対のリブは前記第１の方向に並んで注液孔を挟み、一対のリブのうち、注液孔よりも前記第１縁部に近いリブを第１のリブ、前記第２縁部に近いリブを第２のリブとすると、前記壁部の平面視での前記第１のリブ及び前記第２のリブの長手方向の長さでは、前記第２のリブの方が前記第１のリブより長いことを特徴とする蓄電装置。
【請求項２】
前記壁部は平面視長方形状であり、前記第１の方向は、壁部の一対の長縁部に直交する短手方向であって、前記第１のリブ及び第２のリブの長手方向が前記第１の方向に沿って延びている請求項１に記載の蓄電装置。
【請求項３】
前記壁部は平面視長方形状であり、前記第１の方向は、壁部の一対の長縁部に直交する短手方向であって、前記第１のリブ及び第２のリブの長手方向が前記第１の方向に直交した壁部の長手方向に延びている請求項１に記載の蓄電装置。
【請求項４】
前記第２の方向に沿う直線上に位置する別の一対の縁部のうちの一方の縁部を第３縁部、他方の縁部を第４縁部とすると、前記注液孔は、第２の方向において第４縁部よりも第３縁部に近い位置に配置され、
前記第２の方向に沿って注液孔を挟む一対の別のリブをさらに有し、一対の別のリブのうち、注液孔よりも第３縁部に近い別のリブを第３のリブ、第４縁部に近い別のリブを第４のリブとすると、前記壁部の平面視での前記第３のリブ及び前記第４のリブの長手方向の長さでは、前記第４のリブの方が前記第３のリブより長い請求項１〜請求項３のうちいずれか一項に記載の蓄電装置。
【請求項５】
電極組立体及び電解液を収容したケースと、
前記ケースを構成する壁部を貫通する注液孔と、
前記注液孔を封止する封止部材と、
前記壁部における前記注液孔の周囲に配置されたリブと、を有し、
前記壁部の面に沿って延び、かつ互いに直交する二つの方向のうち一方の第１の方向を、前記壁部において平行な一対の縁部を最短距離で結ぶ直線に沿う方向と設定するとともに、他方の第２の方向を、前記壁部において前記一対の縁部と直交し、かつ平行な別の一対の縁部を最短距離で結ぶ直線に沿う方向と設定したとき、
前記リブは、前記第１の方向に前記注液孔を挟んで並んだ一対の第１方向リブと、前記第２の方向に前記注液孔を挟んで並んだ一対の第２方向リブで構成され、
前記第１方向リブは、長手方向が前記第１の方向に延びるとともに、前記第２方向リブは、長手方向が前記第２の方向に延びており、
前記壁部の面において、該壁部における前記第１の方向に沿った長さの中間点を通る線を第１中心線とし、前記第２の方向に沿った長さの中間点を通る線を第２中心線としたとき、
前記注液孔は、前記第１中心線と第２中心線とが交差した壁部の中心点上に配置されていることを特徴とする蓄電装置。
【請求項６】
前記蓄電装置は二次電池である請求項１〜請求項５のうちいずれか一項に記載の蓄電装置。
【発明の詳細な説明】
【技術分野】
【０００１】
本発明は、注液孔と、注液孔の周囲に配置されたリブと、を有する蓄電装置に関する。
【背景技術】
【０００２】
ＥＶ（Electric Vehicle）やＰＨＶ（Plug in Hybrid Vehicle）などの車両には、原動機となる電動機への供給電力を蓄える蓄電装置としてリチウムイオン電池などの二次電池が搭載されている。この種の二次電池では、正極活物質層を備える正極電極と負極活物質層を備える負極電極とがセパレータを間に挟んだ状態で積層された電極組立体をケースに収容している。また、ケースの壁部を構成する蓋体には、ケース内に電解液を注入するための注液孔が設けられており、その注液孔は電解液の注入後に封止部材によって封止されている（例えば、特許文献１参照）。
【先行技術文献】
【特許文献】
【０００３】
【特許文献１】特開２０００−１８２５９１号公報
【発明の概要】
【発明が解決しようとする課題】
【０００４】
ところが、二次電池では、コンディショニングの際の初期充電に伴うガス発生や、過充電等によって電極組立体の反応が過度に進行した場合、ケース内部にガスが発生し、蓄積してケースの内圧が異常に上昇することがある。この場合、ケースの壁部には、ケース内の圧力が作用し、各壁部に応力が発生して壁部が変形してしまう虞がある。壁部のうち、蓋体が変形すると、その変形に伴って注液孔の形状が応力発生前から変わったり、注液孔周囲の形状が応力発生前から変わってしまう虞がある。その結果、封止部材による注液孔の封止性が低下するおそれがある。
【０００５】
この発明は、このような従来の技術に存在する問題点に着目してなされたものであり、その目的は、封止部材による注液孔の封止性の低下を抑制することができる蓄電装置を提供することにある。
【課題を解決するための手段】
【０００６】
上記問題点を解決するための蓄電装置は、電極組立体及び電解液を収容したケースと、前記ケースを構成する壁部を貫通する注液孔と、前記注液孔を封止する封止部材と、前記壁部における前記注液孔の周囲に配置された少なくとも一対のリブと、を有し、前記壁部の面に沿って延び、かつ互いに直交する二つの方向のうち一方の第１の方向を、前記壁部において平行な一対の縁部を最短距離で結ぶ直線に沿う方向と設定するとともに、他方の第２の方向を、前記壁部において前記一対の縁部と直交し、かつ平行な別の一対の縁部を最短距離で結ぶ直線に沿う方向と設定し、前記第１の方向に沿う直線上に位置する一対の縁部のうちの一方の縁部を第１縁部、他方の縁部を第２縁部とすると、前記注液孔は、前記第１の方向において第２縁部よりも第１縁部に近い位置に配置され、少なくとも一対のリブは前記第１の方向に並んで注液孔を挟み、一対のリブのうち、注液孔よりも前記第１縁部に近いリブを第１のリブ、前記第２縁部に近いリブを第２のリブとすると、前記壁部の平面視での前記第１のリブ及び前記第２のリブの長手方向の長さでは、前記第２のリブの方が前記第１のリブより長いことを要旨とする。
【０００７】
これによれば、注液孔の周囲に少なくとも一対のリブを設けた。そして、一対のリブのうち、長い方の第２のリブを、第１縁部及び第２縁部のうち、注液孔に近い第１縁部ではなく、注液孔とは遠い方の第２縁部に近い位置に設けた。よって、長い方の第２のリブは、第１のリブよりも、壁部のうち第１の方向での中央に近い位置、すなわち、壁部が変形しやすい場所に設けられている。したがって、ケースの内圧が上昇し、壁部に応力が発生しても、壁部において変形しやすい部位の変形を第２のリブによって好適に抑制することができる。その結果、リブを設けたことで、注液孔の形状や、注液孔の周囲の形状が変わってしまうことが抑制され、封止部材による注液孔の封止性の低下を抑制することができる。
【０００８】
また、蓄電装置について、前記壁部は平面視長方形状であり、前記第１の方向は、壁部の一対の長縁部に直交する短手方向であって、前記第１のリブ及び第２のリブの長手方向が前記第１の方向に沿って延びている。
【０００９】
これによれば、第１の方向（短手方向）に沿った壁部の変形を、リブによって好適に抑制することができる。
また、蓄電装置について、前記壁部は平面視長方形状であり、前記第１の方向は、壁部の一対の長縁部に直交する短手方向であって、前記第１のリブ及び第２のリブの長手方向が前記第１の方向に直交した壁部の長手方向に延びている。
【００１０】
これによれば、第１の方向（長手方向）に沿った壁部の変形を、リブによって好適に抑制することができる。
また、蓄電装置について、前記第２の方向に沿う直線上に位置する別の一対の縁部のうちの一方の縁部を第３縁部、他方の縁部を第４縁部とすると、前記注液孔は、第２の方向において第４縁部よりも第３縁部に近い位置に配置され、前記第２の方向に沿って注液孔を挟む一対の別のリブをさらに有し、一対の別のリブのうち、注液孔よりも第３縁部に近い別のリブを第３のリブ、第４縁部に近い別のリブを第４のリブとすると、前記壁部の平面視での前記第３のリブ及び前記第４のリブの長手方向の長さでは、前記第４のリブの方が前記第３のリブより長くてもよい。
【００１１】
これによれば、別のリブのうち、長い方の第４のリブを、第３縁部及び第４縁部のうち、注液孔に近い第３縁部ではなく、注液孔とは遠い第４縁部に近い位置に設けた。よって、長い方の第４のリブは、第３のリブよりも、壁部のうち第２の方向での中央に近い位置、すなわち、壁部が変形しやすい場所に設けられている。したがって、ケースの内圧が上昇し、壁部に応力が発生しても、壁部において変形しやすい部位の変形を第４のリブによって好適に抑制することができる。よって、第１の方向、及び第２の方向の両方向の変形を各リブによって好適に抑制することができる。
【００１２】
上記問題点を解決するための蓄電装置は、電極組立体及び電解液を収容したケースと、前記ケースを構成する壁部を貫通する注液孔と、前記注液孔を封止する封止部材と、前記壁部における前記注液孔の周囲に配置されたリブと、を有し、前記壁部の面に沿って延び、かつ互いに直交する二つの方向のうち一方の第１の方向を、前記壁部において平行な一対の縁部を最短距離で結ぶ直線に沿う方向と設定するとともに、他方の第２の方向を、前記壁部において前記一対の縁部と直交し、かつ平行な別の一対の縁部を最短距離で結ぶ直線に沿う方向と設定したとき、前記リブは、前記第１の方向に前記注液孔を挟んで並んだ一対の第１方向リブと、前記第２の方向に前記注液孔を挟んで並んだ一対の第２方向リブで構成され、前記第１方向リブは、長手方向が前記第１の方向に延びるとともに、前記第２方向リブは、長手方向が前記第２の方向に延びており、前記壁部の面において、該壁部における前記第１の方向に沿った長さの中間点を通る線を第１中心線とし、前記第２の方向に沿った長さの中間点を通る線を第２中心線としたとき、前記注液孔は、前記第１中心線と第２中心線とが交差した壁部の中心点上に配置されていることを要旨とする。
【００１３】
これによれば、ケースの内圧が上昇し、壁部に応力が発生しても、リブによって、注液孔周囲の壁部の変形を抑制することができ、注液孔を壁部の中心点上に設けてもよくなる。その結果、注液孔から電解液を注入したとき、電解液は、ケースの第１の方向及び第２の方向それぞれに拡散していくため、電解液を電極組立体にばらつきなく含浸させることができる。
【００１４】
前記蓄電装置は二次電池である。
【発明の効果】
【００１５】
本発明によれば、封止部材による注液孔の封止性の低下を抑制することができる。
【図面の簡単な説明】
【００１６】
【図１】第１の実施形態の二次電池の外観を示す斜視図。
【図２】二次電池を示す平面図。
【図３】注液孔及び第１のリブを示す図１の３−３線断面図。
【図４】注液孔及び第２のリブを示す図１の４−４線断面図。
【図５】第２の実施形態の二次電池を示す平面図。
【図６】第３の実施形態の二次電池を示す平面図。
【図７】第３の実施形態における別例を示す平面図。
【図８】第３の実施形態における別例を示す平面図。
【図９】第１の実施形態における別例を示す平面図。
【発明を実施するための形態】
【００１７】
以下、蓄電装置を二次電池に具体化した第１の実施形態を図１〜図４にしたがって説明する。
図１又は図２に示すように、蓄電装置としての二次電池１０は、ケース１１と、このケース１１に収容された電極組立体１２及び電解液を有する。ケース１１は、有底筒状のケース本体１３と、ケース本体１３に電極組立体１２を挿入する開口部１３ａ（図３参照）を閉塞する壁部としての、平板状で、かつ平面視長方形状の蓋体１４とを有する。ケース本体１３と蓋体１４は、何れも金属製（例えば、ステンレス製やアルミニウム製）である。
【００１８】
この実施形態の二次電池１０では、ケース本体１３が有底四角筒状であり、蓋体１４が長方形平板状であることから、二次電池１０は外観が角型をなす角型電池である。また、この実施形態の二次電池１０は、リチウムイオン電池である。そして、二次電池１０において、ケース本体１３の開口部１３ａには蓋体１４が溶接（例えばレーザ溶接）によって接合されている。ケース本体１３の開口部１３ａの周りと、開口部１３ａと接する蓋体１４の周りと、には溶接部Ｗが形成されている。
【００１９】
電極組立体１２には、当該電極組立体１２から電気を取り出すための正極端子１５と負極端子１６が電気的に接続されている。そして、正極端子１５及び負極端子１６には、ケース１１から絶縁するためのリング状の絶縁リング１７ａがそれぞれ取り付けられている。
【００２０】
電極組立体１２は、異なる極性の電極である正極電極と負極電極を有するとともに、それら正極電極と負極電極を絶縁するセパレータを有する。正極電極は、正極用金属箔（アルミニウム箔）の両面に正極用活物質層を有する。負極電極は、負極用金属箔（銅箔）の両面に負極用活物質層を有する。そして、電極組立体１２は、複数の正極電極と複数の負極電極を交互に積層するとともに、両電極の間にセパレータを介在した積層構造とされている。
【００２１】
二次電池１０は、蓋体１４に圧力開放弁１８を有する。圧力開放弁１８は、ケース１１内の圧力が上昇し過ぎないように、ケース１１内の圧力が所定の圧力である開放圧に達した場合に開裂し、ケース１１内の圧力をケース１１外に開放させる。また、二次電池１０は、蓋体１４に注液孔２０を有し、注液孔２０は蓋体１４を厚み方向に貫通する平面視円孔状である。
【００２２】
蓋体１４において、ケース１１の外に臨む面を外面１４ｅとし、ケース１１の内に臨む面を内面１４ｆ（図３参照）とする。蓋体１４の外面１４ｅに沿って延びる方向であって、蓋体１４の平行な一対の縁部のうち、一対の長縁部を最短距離で結ぶ直線に沿う方向（短手方向）を第１の方向Ｙ１とする。そして、蓋体１４において、第１の方向Ｙ１に沿う直線上に位置する一対の長縁部のうち、一方の長縁部を第１縁部としての第１長縁部１４ａとし、他方を第２縁部としての第２長縁部１４ｂとする。また、蓋体１４の外面１４ｅに沿って延びる方向であって、上記第１及び第２長縁部１４ａ，１４ｂと直交し、かつ互いに平行な別の一対の縁部である一対の短縁部を最短距離で結ぶ直線に沿う方向（長手方向）を第２の方向Ｙ２とする。なお、第１の方向Ｙ１と第２の方向Ｙ２は、蓋体１４の外面１４ｅに沿って延び、かつ互いに直交する二つの方向のことである。そして、蓋体１４において、第２の方向Ｙ２に沿う直線上に位置する一対の短縁部のうち、一方の短縁部を第３縁部としての第１短縁部１４ｃとし、他方を第４縁部としての第２短縁部１４ｄとする。
【００２３】
また、図２に示すように、蓋体１４における第１の方向Ｙ１に沿った長さの中間点を通る線を第１中心線Ｌ１としたとき、注液孔２０は、第１中心線Ｌ１よりも第１長縁部１４ａに近い位置にある。すなわち、注液孔２０は、第１の方向Ｙ１において、第２長縁部１４ｂより第１長縁部１４ａに近い位置にある。また、蓋体１４における第２の方向Ｙ２に沿った長さの中間点を通る線を第２中心線Ｌ２としたとき、注液孔２０は、第２中心線Ｌ２よりも第１短縁部１４ｃに近い位置にある。すなわち、注液孔２０は、第２の方向Ｙ２において、第２短縁部１４ｄより第１短縁部１４ｃに近い位置にある。
【００２４】
図３及び図４に示すように、注液孔２０は、リベット製の封止部材３０によって封止され、ケース１１内からのガス及び電解液の漏れが防止されている。封止部材３０は、軸方向一端で開口するとともに、軸方向他端に底壁３１ａを有する中空円筒状の胴部３１と、胴部３１の軸方向一端の開口縁に設けられた環状のフランジ３２と、胴部３１を内部から拡径したマンドレル４０とを有する。
【００２５】
胴部３１は、マンドレル４０によって拡径されたかしめ部３４を有し、かしめ部３４とフランジ３２によって、封止部材３０が蓋体１４に締結されるとともに、フランジ３２と蓋体１４との間に、シール部材５０が挟持されている。シール部材５０は、締結に伴う軸力によって厚み方向に圧縮され、圧縮されたシール部材５０によって、ケース１１の外側で注液孔２０が封止されている。
【００２６】
図１及び図２に示すように、二次電池１０は、蓋体１４の外面１４ｅから突出する４本のリブ２１を有し、リブ２１は蓋体１４のプレス成形時に形成される。蓋体１４の第１の方向Ｙ１に並んで配置された一対のリブ２１のうち、第１長縁部１４ａに近いリブ２１を、第１のリブ２１ａとし、第２長縁部１４ｂに近いリブ２１を第２のリブ２１ｂとする。第１長縁部１４ａと第２長縁部１４ｂは、第１の方向Ｙ１において注液孔２０を挟んでいる。したがって、第１のリブ２１ａは、第１の方向Ｙ１において注液孔２０よりも第１長縁部１４ａに近い位置にあり、第２のリブ２１ｂは、第１の方向Ｙ１において注液孔２０よりも第２長縁部１４ｂに近い位置にある。
【００２７】
蓋体１４の平面視において、第１のリブ２１ａ及び第２のリブ２１ｂの長手方向は第１の方向Ｙ１に沿っている。また、注液孔２０の中心点を通過し、かつ第１の方向Ｙ１に沿って延びる仮想直線Ｃ１を定義すると、第１のリブ２１ａと第２のリブ２１ｂは、この仮想直線Ｃ１上に位置している。また、第１のリブ２１ａと第２のリブ２１ｂは、第１の方向Ｙ１において、注液孔２０から等距離離れた位置にある。そして、蓋体１４の平面視では、第２のリブ２１ｂの長手方向への長さは、第１のリブ２１ａの長手方向への長さより長い。
【００２８】
蓋体１４において、第１中心線Ｌ１よりも第２長縁部１４ｂに近い部位では、第１のリブ２１ａは、第１の方向Ｙ１に沿ったほぼ全体に亘って設けられている。このため、蓋体１４において、注液孔２０よりも第２長縁部１４ｂ側の部位は、第２のリブ２１ｂによって第１の方向Ｙ１への剛性が高められている。また、蓋体１４において、第１中心線Ｌ１よりも第１長縁部１４ａに近い部位では、第１のリブ２１ａによって第１の方向Ｙ１への剛性が高められている。
【００２９】
蓋体１４の第２の方向Ｙ２に並んで配置された一対のリブ２１のうち、注液孔２０よりも第１短縁部１４ｃに近いリブ２１を第３のリブ２１ｃとし、注液孔２０よりも第２短縁部１４ｄに近いリブ２１を第４のリブ２１ｄとする。蓋体１４の平面視において、第３のリブ２１ｃ及び第４のリブ２１ｄの長手方向は第２の方向Ｙ２に沿っている。また、注液孔２０の中心点を通過し、かつ第２の方向Ｙ２に沿って延びる仮想直線Ｃ２を定義すると、第３のリブ２１ｃと第４のリブ２１ｄは、仮想直線Ｃ２上に位置している。また、第３のリブ２１ｃ及び第４のリブ２１ｄは、第２の方向Ｙ２において、注液孔２０から等距離離れている。蓋体１４の平面視では、第３のリブ２１ｃと第４のリブ２１ｄの長手方向への長さは同じである。そして、蓋体１４において、注液孔２０を第２の方向Ｙ２に挟んだ部位は、第３のリブ２１ｃ及び第４のリブ２１ｄによって剛性が高められている。
【００３０】
次に、二次電池１０の作用について説明する。
二次電池１０において、コンディショニングの際の初期充電に伴うガス発生や、過充電等によって電極組立体１２の反応が過度に進行した場合、ケース１１内部にガスが発生、蓄積して内圧が異常に上昇する。この場合、ケース１１の各壁部には、ケース１１内の圧力が作用する。壁部である蓋体１４において、ケース１１内の圧力が作用すると、蓋体１４に応力が発生する。このとき、注液孔２０の周囲において、第１の方向Ｙ１に沿って湾曲するような変形が、第１のリブ２１ａ及び第２のリブ２１ｂによって抑制され、注液孔２０の周囲において、第２の方向Ｙ２に沿って湾曲するような変形が、第３のリブ２１ｃ及び第４のリブ２１ｄによって抑制される。
【００３１】
上記実施形態によれば、以下のような効果を得ることができる。
（１）ケース１１の内圧上昇により、蓋体１４に応力が発生したとき、注液孔２０の周囲に配置された第１〜第４のリブ２１ａ〜２１ｄにより、注液孔２０の周囲の変形を抑制することができる。その結果、注液孔２０の形状や、蓋体１４における注液孔２０の周囲の形状が変わることを抑制できる。よって、注液孔２０と、封止部材３０における胴部３１との間や、蓋体１４とシール部材５０との間に隙間が生じることを好適に抑制することができ、封止部材３０及びシール部材５０による注液孔２０の封止性の低下を抑制することができる。
【００３２】
（２）蓋体１４に発生した応力は、蓋体１４の第１の方向Ｙ１の中央及び第２の方向Ｙ２の中央ほど大きい。そして、第１の方向Ｙ１に並べた第１のリブ２１ａと第２のリブ２１ｂのうち、長手方向への長さが長い方の第２のリブ２１ｂを、第１の方向Ｙ１の中央に近付けて配置した。すなわち、蓋体１４の第１の方向Ｙ１に関し、注液孔２０等、何も設けられていない蓋体１４だけで形成された部位に、長い方の第２のリブ２１ｂを設けた。このため、第２のリブ２１ｂにより、注液孔２０の周囲のうち、ケース１１の内圧上昇時に特に変形しやすい部位での変形を効果的に抑制することができる。したがって、本実施形態では、第１のリブ２１ａ及び第２のリブ２１ｂを単に設けるのではなく、リブ２１の効果を好適に発揮できる位置及び長さを特定して設けており、リブ２１によって注液孔２０周囲での蓋体１４の変形を好適に抑制することができる。
【００３３】
（３）第１の方向Ｙ１において変形しやすい方向に第１のリブ２１ａ及び第２のリブ２１ｂの長手方向が延びており、第１の方向Ｙ１への蓋体１４の変形を好適に抑えることができる。
【００３４】
（４）第２の方向Ｙ２において変形しやすい方向に第３のリブ２１ｃ及び第４のリブ２１ｄの長手方向が延びており、第２の方向Ｙ２への蓋体１４の変形を好適に抑えることができる。
【００３５】
（５）第１〜第４のリブ２１ａ〜２１ｄは、蓋体１４の外面１４ｅからケース１１の外へ突出している。よって、蓋体１４の変形を抑制するために第１〜第４のリブ２１ａ〜２１ｄを設けても、ケース１１内の空間が狭くならない。よって、ケース１１内に設ける電極組立体１２が小さくならず、電池容量の低下を招かない。
【００３６】
（第２の実施形態）
次に、蓄電装置を二次電池に具体化した第２の実施形態を図５にしたがって説明する。なお、第２の実施形態は、第１の実施形態と同様の部分についてはその詳細な説明を省略する。
【００３７】
図５に示すように、二次電池１０は、蓋体１４の外面１４ｅから突出する２本のリブ２２を有し、リブ２２は蓋体１４のプレス成形時に形成される。蓋体１４の第１の方向Ｙ１に並んで配置された一対のリブ２２のうち、注液孔２０よりも第１長縁部１４ａに近いリブ２１を第１のリブ２２ａとし、注液孔２０よりも第２長縁部１４ｂに近いリブ２２を第２のリブ２２ｂとする。よって、第２のリブ２２ｂは、第１のリブ２２ａよりも第２の方向Ｙ２の中央に近い位置にある。蓋体１４の平面視では、第１のリブ２２ａ及び第２のリブ２２ｂの長手方向は第２の方向Ｙ２に沿っている。
【００３８】
第１のリブ２２ａと第２のリブ２２ｂは、注液孔２０の中心点を通過し、かつ第１の方向Ｙ１に沿って延びる仮想直線Ｃ１上に位置している。また、第１のリブ２２ａと第２のリブ２２ｂは、第１の方向Ｙ１に沿って注液孔２０を挟む位置にあり、第１のリブ２２ａ及び第２のリブ２２ｂは、第１の方向Ｙ１において、注液孔２０から等距離離れている。そして、蓋体１４の平面視では、第２のリブ２２ｂの長手方向への長さは、第１のリブ２２ａの長手方向への長さより長い。
【００３９】
従って、第２の実施形態によれば、第１の実施形態に記載の効果に加えて以下の効果を得ることができる。
（６）第２のリブ２２ｂの長手方向への長さを、第１のリブ２２ａの長手方向への長さより長くした。言い換えると、第１長縁部１４ａに近い第１のリブ２２ａを短くした。このため、蓋体１４をケース本体１３に溶接するために溶接治具を蓋体１４の外面１４ｅに接触させたとき、第１のリブ２２ａと第２のリブ２２ｂが同じ長さである場合と比べると、第１長縁部１４ａ付近での熱引きの低下を抑制することができる。その結果として、溶接部Ｗを好適に形成することができ、ケース本体１３と蓋体１４の溶接不良の発生を抑制することができる。
【００４０】
（第３の実施形態）
次に、蓄電装置を二次電池に具体化した第３の実施形態を図６にしたがって説明する。なお、第３の実施形態は、第１の実施形態と同様の部分についてはその詳細な説明を省略する。
【００４１】
図６に示すように、注液孔２０の中心点Ｐ１は、蓋体１４における第１の方向Ｙ１に沿った長さの中間点を通る第１中心線Ｌ１と、第２の方向Ｙ２に沿った長さの中間点を通る第２中心線Ｌ２との交差点上にある。すなわち、注液孔２０の中心点Ｐ１は、蓋体１４の中心点に位置している。注液孔２０は、第１の方向Ｙ１に沿って第１長縁部１４ａ及び第２長縁部１４ｂから等距離離れた位置にあり、第２の方向Ｙ２に沿って第１短縁部１４ｃ及び第２短縁部１４ｄから等距離離れた位置にある。
【００４２】
蓋体１４の外面１４ｅにおいて、注液孔２０を取り囲む同心円状の領域を四等分した場合、蓋体１４の外面１４ｅにおける四つの領域を分割領域Ｒａとすると、二次電池１０は、各分割領域Ｒａにリブを有し、注液孔２０の周囲にはリブが等間隔おきに四つ設けられている。
【００４３】
第１の方向Ｙ１に注液孔２０を挟んで並んだ二つのリブを第１方向リブ２３ａとし、第２の方向Ｙ２に並んだ二つのリブを第２方向リブ２３ｂとする。二つの第１方向リブ２３ａは、長手方向が第１の方向Ｙ１に延びている。二つの第１方向リブ２３ａの第１の方向Ｙ１に沿った長さは同じである。また、二つの第２方向リブ２３ｂは、長手方向が第２の方向Ｙ２に延びている。そして、二つの第２方向リブ２３ｂの第２の方向Ｙ２に沿った長さは同じである。また、四つのリブの長手方向に沿った長さは全て同じである。
【００４４】
従って、第３の実施形態によれば、第１の実施形態に記載の効果に加えて以下の効果を得ることができる。
（７）ケース１１の内圧上昇により、蓋体１４に応力が発生したとき、注液孔２０の周囲に配置された四つのリブ２３ａ，２３ｂにより、注液孔２０の周囲の変形を抑制することができる。その結果、注液孔２０が、蓋体１４の中心点上にあっても、注液孔２０及びその周囲の変形が抑制され、封止部材３０による注液孔２０の封止性の低下を抑制することができる。
【００４５】
注液孔２０が蓋体１４の中心点上にあると、注液孔２０から第１の方向Ｙ１に沿った第１長縁部１４ａまでの距離と第２長縁部１４ｂまでの距離は同じになり、注液孔２０から第２の方向Ｙ２に沿った第１短縁部１４ｃまでの距離と第２短縁部１４ｄまでの距離も同じになる。このため、注液孔２０から電解液をケース１１内に注入したとき、電解液を第１の方向Ｙ１及び第２の方向Ｙ２に沿ってばらつきなく含浸させることができる。
【００４６】
なお、本実施形態は以下のように変更してもよい。
○  第３の実施形態において、図７に示すように、環状リブ２４を、注液孔２０を取り囲むように設けてもよい。このように構成した場合、四つ分割領域Ｒａには、環状リブ２４を四等分した円弧状の部位が配置されることになる。
【００４７】
○  第３の実施形態において、図８に示すように、第１方向リブ２３ａの長手方向を第２の方向Ｙ２に延びるようにし、第２方向リブ２３ｂの長手方向を第１の方向Ｙ１に延びるようにしてもよい。このように構成しても、各分割領域Ｒａには、第１方向リブ２３ａ又は第２方向リブ２３ｂが配置される。
【００４８】
○  第３の実施形態において、第１方向リブ２３ａ同士で、蓋体１４の平面視での長手方向に沿った長さが異なっていてもよく、第２方向リブ２３ｂ同士で、蓋体１４の平面視での長手方向への長さが異なっていてもよい。さらには、第１方向リブ２３ａと、第２方向リブ２３ｂとで全て長手方向への長さが異なっていてもよい。
【００４９】
○  第２の実施形態において、第１のリブ２２ａと第２のリブ２２ｂに加え、第２の方向Ｙ２に並んで配置された第３のリブ及び第４のリブを設けてもよい。この場合、第３のリブ及び第４のリブは、その長手方向が第１の方向Ｙ１に沿っていてもよいし、第２の方向Ｙ２に沿っていてもよい。また、第３のリブ及び第４のリブは、その長手方向への長さが、第２の方向Ｙ２の中央に近い第４のリブの方を、第３のリブより長くしてもよい。
【００５０】
○  第１の実施形態において、第３のリブ２１ｃと第４のリブ２１ｄの長手方向への長さを異ならせてもよい。
図９に示すように、第３のリブ２１ｃは、注液孔２０よりも第１短縁部１４ｃ（第３縁部）に近いリブであり、第４のリブ２１ｄは注液孔２０よりも第２短縁部１４ｄ（第４縁部）に近いリブである。そして、蓋体１４の平面視での第４のリブ２１ｄの長手方向への長さを、第３のリブ２１ｃの長手方向への長さより長くしてもよい。
【００５１】
又は、蓋体１４の平面視での第４のリブ２１ｄの長手方向への長さを、第３のリブ２１ｃの長手方向への長さより短くしてもよい。
○  第１の実施形態において、第１のリブ２１ａ及び第２のリブ２１ｂの長手方向と、第１の方向Ｙ１とが一致しておらず、第１のリブ２１ａ及び第２のリブ２１ｂの長手方向が、第１の方向Ｙ１から若干ずれて延びていてもよい。
【００５２】
○  第１の実施形態において、蓋体１４に設けるリブを第１のリブ２１ａと第２のリブ２１ｂだけとし、第３のリブ２１ｃ及び第４のリブ２１ｄは無くてもよい。
○  第１の実施形態において、蓋体１４に設けるリブを、蓋体１４の長手方向に沿って注液孔２０を挟む一対のリブだけとしてもよい。この場合、蓋体１４の長手方向が第１の方向となり、平行な一対の縁部のうち、第１短縁部１４ｃが第１縁部となるとともに、第２短縁部１４ｄが第２縁部となる。
【００５３】
そして、蓋体１４の長手方向（第１の方向）に並んで注液孔２０を挟む、一対のリブのうち、注液孔２０よりも第１短縁部１４ｃに近いリブ（第１の実施形態では第３のリブ２１ｃ）を第１のリブ、第２短縁部１４ｄに近いリブ（実施形態では第４のリブ２１ｄ）を第２のリブとする。そして、蓋体１４の平面視での第２のリブ（第４のリブ２１ｄ）の長手方向への長さを、第１のリブ（第３のリブ２１ｃ）の長手方向への長さより長くする。
【００５４】
○  各実施形態において、リブは、蓋体１４の内面１４ｆに設けられていてもよい。
○  第１の実施形態において、第１のリブ２１ａ及び第２のリブ２１ｂを設ける蓋体１４の面と、第３のリブ２１ｃ及び第４のリブ２１ｄを設ける蓋体１４の面とを異ならせてもよい。例えば、第１のリブ２１ａ及び第２のリブ２１ｂは、蓋体１４の外面１４ｅに設け、第３のリブ２１ｃ及び第４のリブ２１ｄは、蓋体１４の内面１４ｆに設けてもよい。
【００５５】
○  ケース本体１３を構成する側壁や底壁をケース１１の壁部として、それらに注液孔２０を設け、封止部材３０で封止してもよい。
○  封止部材として、ボルト部材等、リベット以外の部材を採用してもよい。
【００５６】
○  正極用金属箔として、アルミニウム以外の金属からなる箔を採用してもよく、負極用金属箔として、銅以外の金属からなる箔を採用してもよい。
○  正極電極において、片面のみに正極用活物質層を有する構成としてもよいし、負極電極において、片面のみに負極用活物質層を有する構成としてもよい。
【００５７】
○  電極組立体１２は捲回型でもよい。
○  二次電池１０は、リチウムイオン二次電池であったが、これに限らず、他の二次電池であってもよい。要するに、正極用活物質と負極用活物質との間をイオンが移動するとともに電荷の授受を行うものであればよい。
【００５８】
○  ケース１１の形状を変更してもよい。例えば、ケースは平面視正方形状の蓋体を備える角型でもよい。この場合、蓋体１４において、第１の方向Ｙ１と第２の方向Ｙ２に沿った長さは同じになる。また、ケースは平面視円形状の蓋体を備える円筒型でもよい。この場合、蓋体１４において、第１の方向Ｙ１と第２の方向Ｙ２に沿った長さは同じになる。さらには、ケースは平面視楕円形状の蓋体を備える筒型でもよい。
【００５９】
○  本発明を、電気二重層キャパシタ等の蓄電装置に具体化してもよい。
【符号の説明】
【００６０】
Ｌ１…第１中心線、Ｌ２…第２中心線、Ｒａ…四つの領域としての分割領域、Ｙ１…第１の方向、Ｙ２…第２の方向、１０…蓄電装置としての二次電池、１１…ケース、１２…電極組立体、１４…壁部としての蓋体、１４ａ…第１縁部としての第１長縁部、１４ｂ…第２縁部としての第２長縁部、１４ｃ…第３縁部としての第１短縁部、１４ｄ…第４縁部としての第２短縁部、２０…注液孔、２１ａ，２２ａ…第１のリブ、２１ｂ，２２ｂ…第２のリブ、２１ｃ…第３のリブ、２１ｄ…第４のリブ、２３ａ…リブとしての第１方向リブ、２３ｂ…リブとしての第２方向リブ、２４…環状リブ、３０…封止部材。
【図１】
0006446906.tif 000002
【図２】
0006446906.tif 000003
【図３】
0006446906.tif 000004
【図４】
0006446906.tif 000005
【図５】
0006446906.tif 000006
【図６】
0006446906.tif 000007
【図７】
0006446906.tif 000008
【図８】
0006446906.tif 000009
【図９】
0006446906.tif 000010